(57)【特許請求の範囲】
【請求項１】
少なくとも 2枚の側シートをそれらの両側縁部で貼り合せて構成した袋体を収容する袋体の搬送具であって、
袋体の側シートの幅より短い間隔で側縁部を収容する溝部を設けるとともに、側シートの収容位置を規制する壁部を設け、
壁部の上部をその下部より袋体側に突出する突出部とするとともに、該突出部の最上部を袋体の高さ方向の少なくとも 2分の1 以上に対応する高さ位置に設けてなる袋体の搬送具。
【発明の詳細な説明】
【０００１】
【発明の属する技術分野】
本発明は自立性可撓袋等の袋体の搬送具に関する。
【０００２】
【従来の技術】
自立性可撓袋を収容し内容物充填ラインで搬送する搬送具として、特開昭57-77417号公報に記載の、袋体の 2枚の側シートの両側縁部を挿入保持する溝部材と、袋体の 2枚の側シートを保形保持する腹受部材とを有するものがある。
【０００３】
この搬送具によれば、袋体の両側縁部を溝部材の溝部に挿入保持し、側シートを腹受部材で保形保持することにて当該搬送具に収容した袋体の収容姿勢を規制してその方向性を一定にし、袋体の上端部を開いた状態で、袋体に内容物を充填し、その後、袋体の側シートの上端部をシールバーで挟む等により封着する。
【０００４】
ここで、腹受部材は、袋体側に突出する突出部を備え、この突出部により 2枚の側シートを押えることにてそれらを保形保持している。
【０００５】
【発明が解決しようとする課題】
従来の搬送具では、腹受部材の突出部が袋体の高さ方向の下部のみで、 2枚の側シートを押えるものであるため、この搬送具に収容された袋体に洗剤等の内容物を充填すると、袋体の 2枚の側シートは上述の下部の押えより上方は拡開する。このため、内容物を充填した後、 2枚の側シートの上端部をシールバーで挟む等により互いに封着しようとするとき、予期しない折り込みを生じ封着部にしわを伴い易い。
【０００６】
本発明は、側シートの上端部をしわなく封着する袋体の搬送具を提供する。
【０００７】
【課題を解決するための手段】
本発明は、少なくとも 2枚の側シートをそれらの両側縁部で貼り合せて構成した袋体を収容する袋体の搬送具であって、袋体の側シートの幅より短い間隔で側縁部を収容する溝部を設けるとともに、側シートの収容位置を規制する壁部を設け、壁部の上部をその下部より袋体側に突出する突出部とするとともに、該突出部の最上部を袋体の高さ方向の少なくとも 2分の1 以上に対応する高さ位置に設けてなるようにしたものである。
【０００８】
【発明の実施の形態】
図１〜図３の搬送具１０は、自立性可撓袋の袋体１を収容し、洗剤等の内容物充填ライン等での搬送に用いる。
【０００９】
袋体１は、 2枚の側シート２の下部に底シート３を貼り合せ、両側シート２の両側の縁部２Ａを貼り合せてある。袋体１の両側シート２の上端部が形成する開口部４から袋内に洗剤等の内容物を充填し、その後、両側シート２の上端部をシールバーで挟みヒートシールして貼り合せ封止する。
【００１０】
搬送具１０は、例えば合成樹脂にて構成し、胴部１１の下部に底部１２を、上部に袋体挿入口１３を、内部に袋体収容部１４を設ける。底部１２は袋体１の突き上げ具の挿入等に用い貫通孔１５を設ける。
【００１１】
搬送具１０は、胴部１１の袋体収容部１４に臨んで相対する両側に左右一対の溝部１６を備えるとともに、両溝部１６に挟まれて相対する前後一対の壁部１７を備える。溝部１６は、丸孔溝状をなし、袋体１を袋体収容部１４に収めた状態で、袋体１の 2つの縁部２Ａの間隔Ｗが側シート２の幅より短くなるように（開口部４を開くように）、それら 2つの縁部２Ａの収容位置を規制する。壁部１７は、側シート２の収容位置を規制する。
【００１２】
搬送具１０は、溝部１６と壁部１７との上部のそれぞれに、上方が外側に広がるテーパ部１６Ａ、１７Ａを備える。そして、溝部１６のテーパ部１６Ａが鉛直線に対してなすテーパ角度θ１を、壁部１７のテーパ部１７Ａが鉛直線に対してなすテーパ角度θ２より小さくしてある（図２、図３）。
【００１３】
壁部は上方より壁部テーパ部１７Ａ、突出部１８、壁部下部１７Ｂで構成されている。
【００１４】
壁部１７の上部でテーパ部１７Ａの下側に位置する部分をその下部より袋体収容部１４の側に突出する突出部１８としている。そして、搬送具１０は、突出部１８の最上部１８Ａを袋体１の高さ方向の全長Ｈの少なくとも 2分の1 以上に対応する高さ位置Ｊに設定してある（図２）。
【００１５】
突出部１８の下側の壁部下部１７Ｂは、突出部より外側に広がって（袋体から見ると後退して）いる。
【００１６】
搬送具１０は以下の如く用いられる。
(1) 袋体１を圧縮空気の充填によって膨らませ、この袋体１を袋挿入ステーションにある搬送具１０の袋体収容部１４に挿入する。このとき、袋体１の両側縁部２Ａを溝部１６のテーパ部１６Ａにて案内して該溝部１６に挿入保持するとともに、袋体１の両側シート２を壁部１７のテーパ部１７Ａにて案内して該壁部１７で保形保持する。
【００１７】
(2) 搬送具１０を充填ステーションに搬送し、搬送具１０に収容されている袋体１の開き状態にある開口部４から内容物を充填する。
【００１８】
(3) 搬送具１０を封着ステーションに搬送し、搬送具１０に収容されている袋体１の側シート２の上端部をシールバーで挟む等により封着する。
【００１９】
(4) 搬送具１０を袋排出ステーションに搬送し、この搬送具１０から袋体１を排出する。
【００２０】
搬送具１０によれば、請求項１記載の発明による下記▲１▼、▲２▼の作用がある。
▲１▼壁部１７に設けられる突出部１８が、袋体１の 1/2高さ以上の上部を押えるため、収容された袋体１に内容物を充填すると、それらの上端部を狭め勝ちにされる（図３）。
【００２１】
▲２▼収容された袋体１に内容物を充填した後、 2枚の側シート２の上端部をシールバーで挟む等により互いに封着するとき、 2枚の側シート２がそれらの上端部で上記▲１▼の如くに狭め勝ちになっているため、シールバーはそれら側シート２の上端部にしわを伴うことなくそれら上端部を封着できる。
【００２２】
また、搬送具１０によれば、上記の他、下記▲３▼〜▲８▼の作用がある。
▲３▼搬送具１０の溝部１６によって 2枚の側シート２の両側縁部２Ａの収容位置を規制し、壁部１７によって側シート２の収容位置を規制する。このとき、袋体１は 2つの縁部２Ａの間隔Ｗが側シート２の幅より短くなるようにそれら 2つの縁部２Ａの収容位置を溝部１６で規制されるから、 2枚の側シート２の上端部が形成する開口部４は開かれた状態を安定維持するものとなる。即ち、搬送具１０は袋体１の収容姿勢を規制してその方向性を一定化できる。
【００２３】
▲４▼搬送具１０は、袋体１の縁部２Ａと側シート２の収容位置をそれぞれ規制する溝部１６と壁部１７の上部のそれぞれに上広がり状のテーパ部１６Ａ、１７Ａを備えたから、袋体１の全体をそれらのテーパ部１６Ａ、１７Ａに案内させてスムースに挿入できる。
【００２４】
▲５▼上記▲４▼で、溝部１６のテーパ部１６Ａのテーパ角度θ１を壁部１７のテーパ部１７Ａのテーパ角度θ２より小さくしたから、袋体１を搬送具１０に挿入していくとき、袋体１の両側の貼り合せによって硬い縁部２Ａが真っ先に溝部１６のテーパ部１６Ａに接して案内開始される。即ち、搬送具１０は、袋体１の縁部２Ａを溝部１６から位置ずれさせることなく真っ先に確実に溝部１６に導入し、袋体１に挿入方向性を付与し、袋体１の挿入をよりスムースにする。
【００２５】
▲６▼突出部１８の下側の壁部下部１７Ｂは、袋体から見ると後退しているので、内容物を入れたときに袋体の下部が外側に膨れ、側シート上方が内側によるので、袋上方の開口部の狭まりが一層確実となる。
【００２６】
▲７▼壁部下部が面となっているので、袋体が膨らんだときに側シートの広い範囲と接し、形状の保持性を高める。
【００２７】
▲８▼特に内容物が多いときは、充填された液の界面上昇を押えることができ、封着面に液を付着させることなく封着でき、品質を確保することができる。
【００２８】
【発明の効果】
以上のように本発明によれば、袋体の搬送具において、袋体の 2枚の側シートをそれらの上端部で狭め勝ちとし、それら側シートの上端部をしわなく封着可能とすることができる。
【図面の簡単な説明】
【図１】図１は搬送具の一例を示す平面図である。
【図２】図２は図１のII-II 線に沿う断面図である。
【図３】図３は図１のIII-III 線に沿う断面図である。
【符号の説明】
１  袋体
２  側シート
２Ａ  縁部
１０  搬送具
１６  溝部
１７  壁部
１６Ａ、１７Ａ  テーパ部
１８  突出部
【図１】
0003824429.tif 000002
【図２】
0003824429.tif 000003
【図３】
0003824429.tif 000004